(57)【要約】      （修正有）【課題】ペットと一緒にスポーツや遊び等の屋外のアクティビティを楽しめるようにするとともに、十分な安全性及び監視性を確保し、かつ低コストの実現を可能にするアクティビティ用設備の提供。【解決手段】アクティビティＳの内容に従って構成され、アクティビティＳを行う人Ｃが移動するためのアクティビティコース部２を備えるとともに、このアクティビティコース部２の、右側２Ｒ，左側２Ｌ又は上側に、当該アクティビティコース部２に沿って配したガイドレール４ｍを少なくとも有してなるガイドレール機構部４と、このガイドレール４ｍに沿って移動可能なランナ機構部５と、このランナ機構部５に対してペットＡを所定の距離に係留するペット係留部材６とを有するペットガイドシステム３を備える。【選択図】図１
2019208403.tif 000002
【特許請求の範囲】
【請求項１】
ペットと人が一緒にアクティビティを行うことができるアクティビティ用設備であって、アクティビティの内容に従って構成され、アクティビティを行う人が移動するためのアクティビティコース部を備えるとともに、このアクティビティコース部の、右側，左側又は上側に、当該アクティビティコース部に沿って配したガイドレールを少なくとも有してなるガイドレール機構部と、このガイドレールに沿って移動可能なランナ機構部と、このランナ機構部に対してペットを所定の距離に係留するペット係留部材とを有するペットガイドシステムを備えてなることを特徴とするアクティビティ用設備。
【請求項２】
前記アクティビティコース部には、積雪の上に設けたソリ用コースを少なくとも含むことを特徴とする請求項１記載のアクティビティ用設備。
【請求項３】
前記ガイドレール機構部は、直線部及び／又は曲線部を含むガイドレールと、下端部を地面に対して位置を固定し、かつ前記ガイドレールの長手方向に沿って所定の間隔毎に配するとともに、前記ガイドレールを地面の上方における所定の高さに支持する複数のレール支柱とを備えてなることを特徴とする請求項１記載のアクティビティ用設備。
【請求項４】
前記ランナ機構部は、前記ガイドレールの面に沿って転動する一又は二以上のローラ部を備えることを特徴とする請求項１又は３記載のアクティビティ用設備。
【請求項５】
前記ペット係留部材は、少なくとも係留ロープを含むことを特徴とする請求項１記載のアクティビティ用設備。
【発明の詳細な説明】
【技術分野】
【０００１】
本発明は、犬等のペットと人が一緒にアクティビティを楽しむことができるアクティビティ用設備に関する。
【背景技術】
【０００２】
一般に、犬等のペットがいる場合、ペットと一緒にできるスポーツや遊びはかなり限定されてしまうため、多くの場合、通常は、ペットを柱などの固定物に繋いでおき、目的のスポーツや遊びは、人又は人同士で行っているのが実情である。一方、ペットがいる家庭が増え、ペットと一緒にスポーツや遊びを楽しみたいニーズもあることから、このようなニーズに応えることを目的とした運動設備も提案されるに至っている。
【０００３】
従来、この種の運動設備としては、特許文献１で開示される運動器具が知られている。この運動器具は、人とペットとが互いに向かい合って相対面しながら共に加減良く運動することができる運動器具の提供を目的としたものであり、具体的には、人用運動器具部と、この人用運動器具部に加えられる人力を伝達して駆動されるペット用運動器具部とから運動器具を構成し、人用運動器具部とペット用運動器具部とを、人とペットが相対面するように直列状態とした配置で連結するとともに、他方、人用運動器具部からペット用運動器具部に人力を伝達する伝達経路にクラッチ機構を介在させるほか、ペット用運動器具部を人用運動器具部に対して折畳み自在とすると共に取付け角度が調節自在に構成されたものである。
【先行技術文献】
【特許文献】
【０００４】
【特許文献１】特開平９−５１９６３号公報
【発明の概要】
【発明が解決しようとする課題】
【０００５】
ところで、屋外で行うアクティビティの分野においては、ペットと一緒にスポーツや遊びを楽しむための運動設備、即ち、アクティビティ用設備はほとんど提供されていないのが実情がある。
【０００６】
最近ではペットと一緒に泊まれるホテル等の宿泊施設も徐々に増える傾向にあるが、一方において、アクティビティの場合、ペットと一緒に楽しむことができるアクティビティにはあまり目が向けられておらず、犬等のペットがいる家庭の場合、旅行などにおいて、アクティビティが制約されてしまうケースも少なくない。結局、アクティビティを行う場合、ペットを一時的に繋いでおき、人又は人同士でアクティビティを行なわざるを得ないのが実情であり、従来より、犬等のペットのいる家庭の旅行者などから、ペットと一緒にアクティビティ（スポーツや遊び等）が楽しめるアクティビティ用設備の提供が望まれていた。
【０００７】
なお、乗物等の場合、ペット専用のスペース等を特別に付加するなどにより実現することも可能であるが、屋外のアクティビティ分野においては、コスト面や安全面において容易に実現できない現実がある。
【０００８】
本発明は、このような背景技術に存在する課題を解決したアクティビティ用設備の提供を目的とするものである。
【課題を解決するための手段】
【０００９】
本発明は、上述した課題を解決するため、ペットＡと人Ｃが一緒にアクティビティＳを行うことができるアクティビティ用設備１を構成するに際して、アクティビティＳの内容に従って構成され、アクティビティＳを行う人Ｃが移動するためのアクティビティコース部２を備えるとともに、このアクティビティコース部２の、右側２Ｒ，左側２Ｌ又は上側に、当該アクティビティコース部２に沿って配したガイドレール４ｍを少なくとも有してなるガイドレール機構部４と、このガイドレール４ｍに沿って移動可能なランナ機構部５と、このランナ機構部５に対してペットＡを所定の距離に係留するペット係留部材６とを有するペットガイドシステム３を備えてなることを特徴とする。
【００１０】
この場合、発明の好適な態様により、アクティビティコース部２には、積雪Ｗの上に設けたソリ滑りコース２ｃを少なくとも含ませることができる。一方、ガイドレール機構部４は、直線部４ｓ及び／又は曲線部４ｃを含むガイドレール４ｍと、下端部７ｄ…を地面Ｇに対して位置を固定し、かつガイドレール４ｍの長手方向Ｆｓに沿って所定の間隔Ｌｒ…毎に配するとともに、ガイドレール４ｍを地面Ｇの上方における所定の高さＨｒ…に支持する複数のガイドレール支柱７…とを備えて構成できる。また、ランナ機構部５には、ガイドレール４ｍの面に沿って転動する一又は二以上のローラ部５ｒ，５ｒを設けることができる。さらに、ペット係留部材６には、少なくとも係留ロープ６ｒを含ませることができる。
【発明の効果】
【００１１】
このような構成を有する本発明に係るアクティビティ用設備１によれば、次のような顕著な効果を奏する。
【００１２】
（１）  アクティビティコース部２の、右側２Ｒ，左側２Ｌ又は上側に、当該アクティビティコース部２に沿って配したガイドレール４ｍを少なくとも有してなるガイドレール機構部４と、このガイドレール４ｍに沿って移動可能なランナ機構部５と、このランナ機構部５に対してペットＡを所定の距離に係留するペット係留部材６とを有するペットガイドシステム３を備えてなるため、屋外で行うアクティビティＳにおいて、人ＣとペットＡが一緒にスポーツや遊び等を楽しむことができるとともに、この場合であっても、十分な安全性及び監視性を確保することができ、加えて、比較的容易に実施できるため、コスト面においても低コストに実現することができる。
【００１３】
（２）  好適な態様により、アクティビティコース部２に、積雪Ｗの上に設けたソリ滑りコース２ｃを少なくとも含ませれば、アクティビティコース部２は、自然の地形及び地面の上を利用して容易に設けることができるため、アクティビティコース部２に沿って配設するペットガイドシステム３も容易に設けることができるなど、実施の容易性及び低コスト性、更には、安全性を確保する観点から最適な形態として実施できる。特に、ガイドレール４ｍも斜面に沿って設置されるため、ランナ機構部５もより円滑に移動可能となり、ペットＡへの負担も最小限に抑えることができる。
【００１４】
（３）  好適な態様により、ガイドレール機構部４を構成するに際し、直線部４ｓ及び／又は曲線部４ｃを含むガイドレール４ｍと、下端部７ｄ…を地面Ｇに対して位置を固定し、かつガイドレール４ｍの長手方向Ｆｓに沿って所定の間隔Ｌｒ…毎に配するとともに、ガイドレール４ｍを地面Ｇの上方における所定の高さＨｒ…に支持する複数のガイドレール支柱７…とを設けて構成すれば、様々な形状や形態を有するアクティビティコース部２に対して容易に適応できるため、汎用性に優れるとともに、コース変更等に対しても臨機応変に対応することができる。
【００１５】
（４）  好適な態様により、ランナ機構部５に、ガイドレール４ｍの面に沿って転動する一又は二以上のローラ部５ｒ，５ｒを設ければ、ランナ機構部５はより円滑に移動できるため、ペットＡにおけるストレスを回避できるとともに、ペットＡに対する安全性を確保できる。
【００１６】
（５）  好適な態様により、ペット係留部材６に、少なくとも係留ロープ６ｒを含ませれば、ペットＡの首輪に繋ぐ通常のリードと同等の使用感を確保できるため、ペットＡは不自然さや違和感がなくアクティビティＳを行うことができる。
【図面の簡単な説明】
【００１７】
【図１】本発明の好適実施形態に係るアクティビティ用設備をソリ乗り場に適用した例の一部を示す斜視構成図、
【図２】同アクティビティ用設備に用いるペットガイドシステムの一部断面を含む正面構成図、
【図３】同アクティビティ用設備に用いるペットガイドシステムの一部断面を含む側面構成図、
【図４】同アクティビティ用設備に用いるペットガイドシステムの一部断面を含む平面構成図、
【図５】同アクティビティ用設備に用いるペットガイドシステムのペット係留部材の変更例を示す平面構成図、
【図６】同アクティビティ用設備の作用説明図、
【図７】同アクティビティ用設備をゴーカート乗り場に適用した例の一部を示す斜視構成図、
【図８】同アクティビティ用設備に用いる変更例に係るペットガイドシステムの一部断面正面構成図、
【図９】同アクティビティ用設備に用いる他の変更例に係るペットガイドシステムの断面正面構成図（図１０中Ｘ−Ｘ線断面）、
【図１０】同変更例に係るペットガイドシステムの一部平面図、
【発明を実施するための形態】
【００１８】
次に、本発明に係る好適実施形態を挙げ、図面に基づき詳細に説明する。
【００１９】
まず、本実施形態に係るアクティビティ用設備１の構成について、図１〜図５を参照して説明する。
【００２０】
図１は、アクティビティＳとしてのソリ乗り場Ｓｓを示し、１は、このソリ乗り場Ｓｓに付設した本実施形態に係るアクティビティ用設備を示す。このアクティビティ用設備１は、大別して、アクティビティコース部２とペットガイドシステム３により構成する。
【００２１】
アクティビティコース部２は、アクティビティＳの内容に従って構成され、かつアクティビティＳを行う人Ｃが移動するためのコースであり、例示の場合、図１に示すように、人（子供）ＣがソリＭに乗って滑り降りることができる積雪Ｗの上に設けたソリ滑りコース２ｃとなる。
【００２２】
このように、アクティビティコース部２に、ソリ滑りコース２ｃを少なくとも含ませれば、アクティビティコース部２は、自然の地形及び地面の上を利用して容易に設けることができるため、アクティビティコース部２に沿って配設するペットガイドシステム３も容易に設けることができるなど、実施の容易性及び低コスト性、更には、安全性を確保する観点から最適な形態として実施できる。特に、ガイドレール４ｍも斜面に沿って設置されるため、ランナ機構部５もより円滑に移動可能となり、ペットＡへの負担も最小限に抑えることができる。
【００２３】
なお、図１は、ソリ滑りコース２ｃの一部となるＳ字カーブの部分を一例として示しているが、このようなソリ滑りコース２ｃ（アクティビティコース部２）は、様々なコース形状や形態を適用できる。即ち、コース形状には、直線部，曲線部，直線部と曲線部の組合わせを含ませることができるとともに、形態には、ジャンプや凹凸面等を含ませることができる。
【００２４】
一方、ペットガイドシステム３は、図１〜図４に示すように、ガイドレール機構部４，ランナ機構部５及びペット係留部材６を備えて構成する。ガイドレール機構部４は、アクティビティコース部２の右側２Ｒに、当該アクティビティコース部２に沿って配したガイドレール４ｍを備えるとともに、下端部７ｄ…（図２）を地面Ｇに対して位置を固定し、かつガイドレール４ｍの長手方向Ｆｓに沿って所定の間隔Ｌｒ…毎に配するとともに、ガイドレール４ｍを地面Ｇの上方における所定の高さＨｒに支持する複数のガイドレール支柱７…を備える。したがって、このようなペットガイドシステム３を構成すれば、様々な形状や形態を有するアクティビティコース部２に対して容易に適応できるため、汎用性に優れるとともに、コース変更等に対しても臨機応変に対応できる利点がある。
【００２５】
この場合、ガイドレール４ｍは、アクティビティコース部２の形状に沿うように、直線部４ｓ，曲線部４ｃ，直線部４ｓと曲線部４ｃを組合わせた長手方向形状を有する。また、ガイドレール４ｍは、金属素材又は合成樹脂素材等により一体に形成し、断面が略矩形状となる一本の連続した細長いパイプ状に形成する。なお、ガイドレール４ｍを実際に構成する場合には、所定長さのガイドレールメンバを複数本用意し、各ガイドレールメンバ同士を所定のジョイント部材により相互に連結して組付けることにより一本のガイドレール４ｍとして構成できる。さらに、ガイドレール４ｍの断面は、図２に示すように、矩形枠状に形成し、アクティビティコース部２に対向した左側面４ｍｐの上下方向中央位置に、長手方向Ｆｓに沿ったスリット１１を連続的に形成する。なお、スリット１１の上下方向の開口間隔はＬｓとなる。
【００２６】
ランナ機構部５は、ガイドレール４ｍに沿って移動可能に構成するものであり、例示するランナ機構部５は、図２〜図４に示すように、上下方向に軸心を有する丸棒状のシャフト１２と、一端部（内端部）１３ｉを当該シャフト１２の上下方向中央位置に固定又は回動自在に結合し、かつ他端部（外端部）１３ｏ側を、スリット１１を通して外部に突出させ、先端部（他端部）１３ｏにリング部１３ｒを一体形成した係留部材結合部１３と、シャフト１２の上下部位にそれぞれ回動自在に支持される一対のローラ部５ｒ，５ｒとを備える。これにより、一対のローラ部５ｒ，５ｒは、ガイドレール４ｍにおける左側面４ｍｐの内面に沿って転動する。ランナ機構部５を構成するこれらの各部品は、金属素材又は合成樹脂素材等により一体に形成できる。このように、ランナ機構部５に、ガイドレール４ｍの面に沿って転動するローラ部５ｒ，５ｒを設ければ、ランナ機構部５はより円滑に移動できるため、ペットＡにおけるストレスを回避できるとともに、ペットＡに対する安全性を確保できる利点がある。
【００２７】
ペット係留部材６には、係留ロープ６ｒを用いることができる。係留ロープ６ｒは、引張り強度に優れ、耐久性及び柔軟性に優れたロープ材を用いる。ペット係留部材６は、ランナ機構部５に対してペットＡを所定の距離Ｌａに係留する機能を有するものであり、図１に示すように、係留ロープ６ｒの長さは、ソリ滑りコース２ｃを滑り降りるソリＭに対して、一定の間隔を保ちつつ併走できる長さを選定することが望ましい。この係留ロープ６ｒの一端はランナ機構部５におけるリング部１３ｒに結び付けて結合するとともに、係留ロープ６ｒの他端はペットＡにおける首輪等に結合する。このように、ペット係留部材６に、係留ロープ６ｒを含ませれば、ペットＡの首輪に繋ぐ通常のリードと同等の使用感を確保できるため、ペットＡは不自然さや違和感がなくアクティビティＳを行うことができる利点がある。
【００２８】
なお、係留ロープ６ｒは、ロープ材をそのまま用いてもよいし、必要により、図５に示すように、ロープ材の一端側における中途位置にスプリング等の弾性部材１６を介在させてもよい。このような弾性部材１６を介在させれば、何らかの原因により、ランナ機構部５が急に止まったような場合であっても、ペットＡに付加される衝撃を緩衝できるため、ペットＡに対する保護を図ることができる。
【００２９】
他方、ガイドレール支柱７は、ガイドレール４ｍを支持する機能を有するものであり、例えば、ソリ乗り場Ｓｓの場合には、地面Ｇに打ち込むことができる杭７ｐを用いることができる。例示の杭７ｐには、図２（図４）に示す断面円形の丸杭を使用した。なお、杭７ｐの素材は、木質素材，合成樹脂素材，金属素材，リサイク素材等の各種素材を適用可能である。また、杭７ｐの径，長さ及び形状は、現状に合わせて任意に選定可能であるが、少なくとも下端部７ｄ（図２）を地面Ｇに対して位置を固定し、ガイドレール４ｍを地面Ｇの上方における所定の高さＨｒに支持できる長さを選定する。例示の杭７ｐは、図２に示すように、下端部７ｄを尖形に形成し、地面Ｇに対して直接打ち込むことができるようにした。
【００３０】
次に、本実施形態に係るアクティビティ用設備１の設置方法について、図１〜図５を参照して説明する。
【００３１】
まず、ソリ滑りコース２ｃ（アクティビティコース部２）の全長に対応した本数の杭７ｐ…（ガイドレール支柱７…）を準備し、図１に示すように、ソリ滑りコース２ｃの右側２Ｒに、当該ソリ滑りコース２ｃに沿って所定の間隔Ｌｒ…毎に地面Ｇに打ち込んで設置する。図１中、２Ｌはソリ滑りコース２ｃの左側を示す。例示は、杭７ｐ…を右側２Ｒに打ち込んだ場合を示したが、左側２Ｌに打ち込んでもよい。
【００３２】
次いで、杭７ｐ…の上端付近における周面（側面）に、ガイドレール４ｍを固定具１５…により固定する。使用する固定具１５…は、杭７ｐの材質や形状等により各種固定具１５…を利用できる。実施形態の場合、杭７ｐの素材として木質素材を利用したため、図２に示すように、木ネジ１５ｎ…を用いた例を示す。なお、例示は、イメージとして示している。したがって、木ネジ１５ｎ…の使用本数は、少なくとも一本以上の任意の本数でよいし、任意の角度でねじ込むことができる。また、杭７ｐの素材が木質素材以外の場合には、ボルトナットや溶接等の他の固定具１５…を利用できるとともに、別途の保持部材２１（図７参照）を用いて固定してもよい。
【００３３】
以上により、ガイドレール機構部４の設置（施工）が終了するため、ガイドレール４ｍに、ランナ機構部５を装填する。この場合、ガイドレール４ｍの端部開口からランナ機構部５のローラ部５ｒ，５ｒを収容し、スリット１１を通してリング部１３ｒを外部に露出させればよい。これにより、ローラ部５ｒ，５ｒは、ガイドレール４ｍにおけるスリット１１の上方及び下方に位置する左側面４ｍｐの内面にそれぞれ当接し、ランナ機構部５は、この内面に沿ってスムースに移動できる。なお、ガイドレール４ｍに装填するランナ機構部５の数量は、一つであってもよいし、必要により二つ以上を装填してもよい。そして、ガイドレール４ｍに、ランナ機構部５を装填した後は、ガイドレール４ｍの両端開口をキャップ等により閉塞し、ガイドレール４ｍからの抜け止め防止を図ることが望ましい。これにより、本実施形態に係るアクティビティ用設備１の設置が終了する。
【００３４】
このように、本実施形態に係るアクティビティ用設備１は、部品点数が少なくて済み、極めて容易に設置できるとともに、全体的にもきわめて容易に実施することができる。これにより、コスト面においても低コストに実現することができる。
【００３５】
次いで、本実施形態に係るアクティビティ用設備１の使用方法について、図１及び図６を参照して説明する。
【００３６】
最初に、係留ロープ６ｒを用意し、図２に仮想線で示すように、係留ロープ６ｒの一端側をリング部１３ｒに結び付けて結合するとともに、他端側を、犬Ａｄ（ペットＡ）に設けた図に現れない首輪等に結合する。この際、必要により、係留ロープ６ｒの長さを選定することができる。これにより、準備は完了する。
【００３７】
そして、アクティビティＳを行う場合、即ち、ソリ乗り場Ｓｓを利用する際には、図１に示すように、利用者である人（子供）Ｃは、通常の利用手順に従って、上方のスタート地点から、ソリ滑りコース２ｃ上をソリＭに乗って滑り降りることができる。
【００３８】
一方、人（子供）Ｃが、ソリＭで滑り降りることにより、犬Ａｄ（ペットＡ）は、飼い主となる子供Ｃを追いかけ、図１に示すように、犬Ａｄは、ソリＭと一緒に又は追従して走ることができる。犬Ａｄが走ることにより、係留ロープ６ｒが引張られるため、ランナ機構部５も引張られる方向に移動、即ち、図６に示すように、ガイドレール４ｍの形状に沿って移動する。ガイドレール４ｍは、ソリ滑りコース２ｃに沿って配されているため、犬Ａｄは、不自由なく、ソリ滑りコース２ｃに沿って走ることができる。図６に示す実線は現在のコース位置を示し、仮想線は直前におけるコース位置を示している。
【００３９】
この際、係留ロープ６ｒの長さにより、犬Ａｄが走れるソリ滑りコース２ｃにおける幅方向の範囲が制限されるため、犬ＡｄとソリＭ（人Ｃ）が接触したり衝突する不具合は回避され、安全性が確保されるとともに、犬Ａｄも思い切り走れるため、人Ｃと一緒に、アクティビティＳを最大限に利用できる。
【００４０】
このように、本実施形態に係るアクティビティ用設備１は、基本構成として、アクティビティＳの内容に従って構成され、アクティビティＳを行う人Ｃが移動するためのアクティビティコース部２を備えるとともに、このアクティビティコース部２の、右側２Ｒ，左側２Ｌ又は上側に、当該アクティビティコース部２に沿って配したガイドレール４ｍを少なくとも有してなるガイドレール機構部４と、このガイドレール４ｍに沿って移動可能なランナ機構部５と、このランナ機構部５に対してペットＡを所定の距離に係留するペット係留部材６とを有するペットガイドシステム３を備えるため、アクティビティＳを行うに際し、人Ｃと犬Ａｄ等（ペットＡ）が一緒にアクティビティコース部２を移動することができ、これにより、屋外で行うアクティビティＳの分野であっても、人ＣとペットＡが一緒にアクティビティ（スポーツや遊び等）Ｓを楽しむことができる。しかも、この場合であっても、十分な安全性及び監視性を確保することができる。加えて、比較的容易に実施できるため、コスト面においても低コストに実現することができる。
【００４１】
次に、本実施形態に係るアクティビティ用設備１の変更例について、図７〜図１０を参照して説明する。
【００４２】
図７は、本実施形態に係るアクティビティ用設備１をゴーカート乗り場Ｓｇに適用した場合の変更例を示す。
【００４３】
即ち、図７に示す実施例は、アクティビティコース部２を変更したものであり、ペットガイドシステム３自体は変更することなく、図１〜図６に示す構成を用いることができる。この場合、アクティビティＳは、ゴーカート乗り場Ｓｇであり、アクティビティコース部２は、ゴーカート走行コース２ｇとなる。ゴーカート走行コース２ｇは、通常、平地に設けたジグザグコースであり、図７に示すように、人Ｃ，ＣはゴーカートＧに乗り、ゴーカートコース２ｇを移動（走行）することができる。
【００４４】
このように、本実施形態に係るアクティビティ用設備１は、様々な分野及び種類のアクティビティコース部２を適用することができ、その他のアクティビティコース部２としては、例えば、スキー，スノーボード，スケート等のウィンタースポーツ、更には、スケートボード，ドリフトトライク，自転車，ランニング，ローラスケート，インラインスケート，マウンテンバイク、四輪バギー、セグウェイ，ジップラインアドベンチャー等の同様の機能を有する各種アクティビティコース部２を適用することができる。なお、図７において、図１〜図６と同一部分には同一符号を付して、その構成を明確にするとともに、その詳細な説明は省略する。
【００４５】
図８〜図１０は、本実施形態に係るアクティビティ用設備１を構成するペットガイドシステム３の変更例を示す。
【００４６】
まず、図８に示す変更例は、ガイドレール４ｍとランナ機構部５の係合形態を変更したものであり、いわばガイドレール４ｍとランナ機構部５の形態（形状）を相互に入れ替えた態様により構成したものである。具体的には、ガイドレール４ｍの断面形状を、横Ｔ形に形成するとともに、ランナ機構部５を構成する係留部材結合部１３を、ガイドレール４ｍの上下位置を挟む断面コの字形に形成したものである。したがって、係留部材結合部１３は、アクティビティコース部２に対向する側面に、ペット係留部材６を結合するリング部１３ｒを一体に設けるとともに、このリング部１３ｒに対して反対側の部位となる係留部材結合部１３の後部先端には、上下一対のシャフト１２ｓ，１２ｓを設け、このシャフト１２ｓ，１２ｓにより上下一対のローラ部５ｒ，５ｒを回動自在に支持する。このローラ部５ｒ及び５ｒは、ガイドレール４ｍにおける垂直板部４ｍｑの上部内面及び下部内面にそれぞれ当接し、ガイドレール４ｍの長手方向Ｆｓにガイドされる。
【００４７】
なお、ガイドレール４ｍを杭７ｐ（ガイドレール支柱７）に固定するに際しては、筒形（リング形）に形成した別途の保持部材２１を用意し、この保持部材２１の外周面に杭７ｐを溶接部２２により固定した例を示した。例示の場合、溶接部２２により固定した場合を示したが、ネジ止め方式等の各種固定手段を利用することができる。
【００４８】
一方、図９及び図１０に示す変更例は、ガイドレール４ｍを、連続した一本の棒部材を用いた棒レール３１により構成したものである。この場合、所定間隔おきにほぼ鉛直に起設したガイドレール支柱７…の上端に棒レール３１の下端を固定することにより、ガイドレール機構部４を構成できる。また、ランナ機構部５は、図９に示すように、例えば、内部中空のパイプ部材を円形に湾曲形成することにより、単純なリング形状を有するレール係合部３２として構成し、この外周部の所定位置に係留ロープ６ｒの後端部を接続するフック部３２ｓを一体に設けるとともに、係留ロープ６ｒの先端部をペットが引張った際にガイドレール支柱７…に当接する可能性のあるレール係合部３２の範囲を分割し、この分割した部分を可動部３３として構成できる。したがって、レール係合部３２は、可動部３３とこの可動部３３を除く係合部本体３４の組み合わせとなる。そして、可動部３３の一端は、ヒンジ部３５を介して係合部本体３４に取付ける。これにより、可動部３３は、図１０に示すように、ヒンジ部３５を支点として回動変位可能となる。さらに、図９に示すように、ヒンジ部３５を跨いで、係合部本体３４と可動部３３間の内部には、ゴム又はスプリング等の弾性部材３６（例示は、コイルスプリング）を収容し、回動変位した際には、弾性復帰するように構成する。なお、この弾性部材３６は、ヒンジ部３５に付設してもよく、例示の構成に限定されるものではない。この際、図１０に示すように、可動部３３は一方向にのみ回動変位できるように、可動部３３の他端（自由端側）は傾斜面によりカット（分割）することが望ましい。なお、可動部３３の分割範囲は、使用中において確実にガイドレール支柱７…に当接し、かつ係合部本体３４が常に棒レール３１に係合する範囲を選定する。
【００４９】
これにより、図９及び図１０に示す変更例では、図１０に示すように、係留ロープ６ｒの先端部がペットに引張られれば、レール係合部３２（ランナ機構部５）が棒レール３１に沿って移動するとともに、レール係合部３２がガイドレール支柱７に達した際には、可動部３３がガイドレール支柱７に当接し、さらに、係留ロープ６ｒが引張られるに従って、可動部３３は、図１０中、実線位置、更には、仮想線位置に変位するため、レール係合部３２は、当該ガイドレール支柱７を通過することができる。また、通過した後は、弾性部材３６により、可動部３３は、元の位置に弾性復帰する。
【００５０】
その他、図９及び図１０は、ガイドレール４ｍとして、棒部材を用いた棒レール３１を示したが、ロープ部材やワイヤ部材を用いてもよい。また、図面は、直線のガイドレール４ｍとして示したが、曲線であってもよく、特に、ロープ部材やワイヤ部材ではガイドレール支柱７…の位置で緩い角度により折曲させることにより、アクティビティコース２のカーブに沿わせることができる。このように、ペットガイドシステム３は、各種形態により構成することができる。したがって、例えば、アクティビティコース部２が比較的短い直線コースにより設けられている場合、即ち、途中に、ガイドレール支柱７を配置しない場合などでは、ガイドレール４ｍを、ロープ部材や棒部材等により構成し、このロープ部材や棒部材に、ランナ機構部５となる単純なリング部材を係合させる構成であっても実施可能であり、ペットガイドシステム３の基本的なガイド機能を有する構成であれば、各種形態により実施可能である。なお、図８〜図１０において、図１〜図７と同一部分には同一符号を付して、その構成を明確にするとともに、その詳細な説明は省略する。
【００５１】
以上、変更例を含む好適実施形態について詳細に説明したが、本発明は、このような実施形態に限定されるものではなく、細部の構成，形状，素材，数量，数値，手法等において、本発明の要旨を逸脱しない範囲で、任意に変更，追加，削除することができる。
【００５２】
例えば、ペットＡは、犬Ａｄに限定されるものではなく基本的には様々な動物を適用できる。また、アクティビティＳやアクティビティコース部２も様々な分野及び種類に適用できる。さらに、ガイドレール機構部４を構成するガイドレール４ｍ，ランナ機構部５及びペット係留部材６は、例示以外の各種構成により実施可能である。特に、ランナ機構部５のローラ部５ｒ，５ｒは一つであってもよいし複数であってもよく、その数量は問わないとともに、当接部位を低摩擦素材等により構成した場合、ローラ部５ｒ…は、必ずしも設けることを要しない。また、ガイドレール支柱７は、断面正方形の角杭を用いても勿論よいし、その他、地面Ｇに打ち込むことのない、例えば、コンクリートブロックに設けることにより、アクティビティコース部２又はその近傍に載置するタイプ、アーチ形に形成し、アクティビティコース部２の幅方向に跨ぐように設置して、ガイドレール４ｍをアクティビティコース部２の上側に配置するタイプ、或いは、既設の設備、例えば、アクティビティコース部２に沿って設けられた照明灯のポール等を利用し、このポールにガイドレール４ｍを固定するタイプなど、様々な形態により実施できる。なお、ガイドレール４ｍを所定の高さＨｒに支持するとは、高さＨｒが０の場合も含む概念である。また、アクティビティコース部２は、始端位置と終端位置が異なる場所にある有限コースであってもよいし、周回トラックのように繰返し連続して移動できる無端コースであってもよい。
【産業上の利用可能性】
【００５３】
本発明に係るアクティビティ用設備は、例示したソリ乗り場を備えるスキー場やゴーカート乗り場を備える遊園地をはじめ、屋外における各種アクティビティに利用することができる。
【符号の説明】
【００５４】
１：アクティビティ用設備，２：アクティビティコース部，２ｃ：ソリ滑りコース，２Ｒ：右側，２Ｌ：左側，３：ペットガイドシステム，４：ガイドレール機構部，４ｍ：ガイドレール，４ｓ：直線部，４ｃ：曲線部，５：ランナ機構部，５ｒ：ローラ部，６：ペット係留部材，６ｒ：係留ロープ，７…：ガイドレール支柱，７ｄ…：ガイドレール支柱の下端部，Ａ：ペット，Ｃ：人，Ｈｒ…：所定の高さ，Ｓ：アクティビティ，Ｗ：積雪，Ｇ：地面，Ｆｓ：長手方向，Ｌｒ…：所定の間隔
【図１】
2019208403.tif 000003
【図２】
2019208403.tif 000004
【図３】
2019208403.tif 000005
【図４】
2019208403.tif 000006
【図５】
2019208403.tif 000007
【図６】
2019208403.tif 000008
【図７】
2019208403.tif 000009
【図８】
2019208403.tif 000010
【図９】
2019208403.tif 000011
【図１０】
2019208403.tif 000012